(57)【特許請求の範囲】
【請求項１】
少なくとも２つの真空バルブをこれら各真空バルブの可動軸が平行で床面に対して垂直になるように配置すると共に、前記各真空バルブの可動部側を共通導体で接続し、且つ一方の前記真空バルブの固定側導体の上部に母線接続導体を配設し、他方の前記真空バルブの固定側導体の上部に少なくとも２つ以上の端部を有する主回路外部接続導体を突出させて配設する構成として、これらを一体的に表面に接地層を有する絶縁物で単相または３相一体にモールドし、
このモールド部は前記真空バルブの可動導体が前記共通導体より突出する側の絶縁物内面に接地層の無い空胴を有し、この空胴内に前記真空バルブの可動導体に絶縁操作ロッドを接続し、この絶縁操作ロッドの他端に前記真空バルブを直線駆動する操作機構を真空バルブの可動軸上に接続したことを特徴とする密閉形スイッチギヤ。
【請求項２】
少なくとも２つの真空バルブをこれら各真空バルブの可動軸が平行で床面に対して垂直になるように配置すると共に、前記各真空バルブの可動部側を共通導体で接続してこれらを一体的に表面に接地層を有する絶縁物で単相または３相一体にモールドし、且つ前記真空バルブの固定側導体の軸上に接地層の無い嵌合部と前記真空バルブの可動導体が前記共通導体より突出する側の絶縁物内面に接地層の無い空胴とが形成された開閉器モールド部と、母線接続導体を表面に接地層を有する絶縁物で単相または３相一体にモールドし、且つ前記母線接続導体の一方の端部に接地層の無い前記開閉器モールド部の嵌合部と嵌合する形状の嵌合部と他方の端部に接地層の無い母線接続部とが形成された母線接続モールド部と、少なくとも３つ以上の端部を有する主回路外部接続導体を表面に接地層を有する絶縁物で単相または３相一体にモールドし、且つ前記主回路外部接続導体の少なくとも１つの端部にケーブルを接続する接地層の無い凸形もしくは凹形のブッシングと他の端部に接地層の無い前記開閉器モールド部の嵌合部に嵌合する形状の嵌合部とが形成された主回路外部取合モールド部とを備え、
これら３つのモールド部を、前記開閉器モールド部の嵌合部で接続すると共に、前記空胴内に前記真空バルブの可動導体に絶縁操作ロッドを接続し、この絶縁操作ロッドの他端に前記真空バルブを直線駆動するための操作機構を真空バルブの可動軸上に接続したことを特徴とする密閉形スイッチギヤ。
【請求項３】
少なくとも２つの真空バルブをこれら各真空バルブの可動軸が平行で床面に対して垂直になるように配置すると共に、前記各真空バルブの可動部側を共通導体で接続し、且つ一方の前記真空バルブの固定側導体の軸上に母線接続導体を配設し、他方の前記真空バルブの固定側導体の軸上に少なくとも２つ以上の端部を有する主回路外部接続導体を突出させて配設する構成として、これらを一体的に表面に接地層を有する絶縁物で単相または３相一体にモールドし、
このモールド部は前記真空バルブの可動導体が前記共通導体より突出する側の絶縁物内面に接地層の無い空胴を有し、この空胴内に前記真空バルブの可動導体に絶縁操作ロッドを接続し、この絶縁操作ロッドの他端に前記真空バルブの軸上で床面に対して垂直な面に取付けられた直線駆動するための操作機構に接続したことを特徴とする密閉形スイッチギヤ。
【請求項４】
少なくとも２つの真空バルブをこれら各真空バルブの可動軸が平行で床面に対して垂直になるように配置すると共に、前記各真空バルブの可動部側を共通導体で接続してこれらを一体的に表面に接地層を有する絶縁物で単相または３相一体にモールドし、且つ前記真空バルブの固定側導体の軸上に接地層の嵌合部と前記真空バルブの可動導体が前記共通導体より突出する側の絶縁物内面に接地層の無い空胴とが形成された開閉器モールド部と、母線接続導体を表面に接地層を有する絶縁物で単相または３相一体にモールドし、且つ前記母線接続導体の一方の端部に接地層の無い前記開閉器モールド部の嵌合部と嵌合する形状の嵌合部と他方の端部に接地層の無い母線接続部とが形成された母線接続モールド部と、少なくとも３つ以上の端部を有する主回路外部接続導体を表面に接地層を有する絶縁物で単相または３相一体にモールドし、且つ前記主回路外部接続導体の少なくとも１つの端部にケーブルを接続する接地層の無い凸形もしくは凹形のブッシングと他の端部に接地層の無い前記開閉器モールド部の嵌合部に嵌合する形状の嵌合部とが形成された主回路外部取合モールド部とを備え、
これら３つのモールド部を、前記開閉器モールド部の嵌合部で接続すると共に、前記空胴内に前記真空バルブの可動導体に絶縁操作ロッドを接続し、この絶縁操作ロッドの他端に前記真空バルブの軸上で床面に対して垂直な面に取付けられた直線駆動するための操作機構に接続したことを特徴とする密閉形スイッチギヤ。
【請求項５】
請求項１乃至請求項４のいずれかに記載の密閉形スイッチギヤにおいて、前記真空バルブの可動導体が前記共通導体より突出する側の前記共通導体に接触子を設け、前記空胴の前記共通導体と反対側から前記接触子に接続する大地より絶縁された可動導体を設け、この可動導体に大地に切離し可能な接地された接地導体を接続し、前記可動導体を直線駆動する操作機構を前記可動導体と絶縁して接続したことを特徴とする密閉形スイッチギヤ。
【請求項６】
請求項１乃至請求項４のいずれかに記載の密閉形スイッチギヤにおいて、前記空胴に空気等の絶縁媒体を密閉したことを特徴とする密閉形スイッチギヤ。
【請求項７】
請求項１乃至請求項４のいずれかに記載の密閉形スイッチギヤにおいて、前記空胴を形成する絶縁物の前記共通導体の近傍周面に導電性シールドを設けたことを特徴とする密閉形スイッチギヤ。
【請求項８】
請求項１乃至請求項４のいずれかに記載の密閉形スイッチギヤにおいて、前記開閉器モールド部、母線接続モールド部及び主回路外部取合モールド部にそれぞれ形成された嵌合部に前記嵌合部を構成する絶縁物よりも柔らかい絶縁物を介在させたことを特徴とする密閉形スイッチギヤ。
【請求項９】
請求項１記載の密閉形スイッチギヤにおいて、Ｈ字形の主回路外部接続導体を埋め込んだ主回路外部取合部の各嵌合部に、表面に接地層を有する避雷器又は表面に接地層を有する計器用変成器、表面に接地層を有する真空バルブによる接地装置、表面に接地層を有する試験端子または表面に接地層を有する絶縁栓のうち少なくとも２つ以上を接続したことを特徴とする密閉形スイッチギヤ。
【請求項１０】
請求項１乃至請求項４のいずれかに記載の密閉形スイッチギヤにおいて、主回路外部取合導体の近傍に円盤状電極を設け、この円盤状電極からモールドの外層に接地層から絶縁された導体を突出させたことを特徴とする密閉形スイッチギヤ。
【請求項１１】
請求項１乃至請求項４のいずれかに記載の密閉形スイッチギヤにおいて、２つの真空バルブの軸間寸法の半分の寸法と、母線接続導体の母線接続側の母線の中心から母線接続導体を接地する真空バルブの軸までの寸法を等しくしたことを特徴とする密閉形スイッチギヤ。
【請求項１２】
請求項１乃至請求項４のいずれかに記載の密閉形スイッチギヤにおいて、真空バルブを直線駆動する操作機構を電磁操作機構としたことを特徴とする密閉形スイッチギヤ。
【請求項１３】
請求項２又は請求項４のいずれかに記載の密閉形スイッチギヤにおいて、前記開閉器モールド部に形成された嵌合部の前記真空バルブの固定側導体に凹状部分を設け、この凹状部分に前記母線接続導体又は主回路外部取合モールド部の嵌合部を挿入して電気的及び機械的に接続したことを特徴とする密閉形スイッチギヤ。
【請求項１４】
請求項１乃至請求項４のいずれかに記載の密閉形スイッチギヤにおいて、前記２つの真空バルブ間の共通導体と絶縁操作ロッドを接続した真空バルブの可動導体との間の絶縁物に空胴を設けたことを特徴とする密閉形スイッチギヤ。
【請求項１５】
２つの真空バルブの軸を平行にし可動部側を共通の導体で接続してこれらを一体的に表面に接地層を有する絶縁物で単相または３相一体にモールドし、且つ前記真空バルブの固定側導体の軸上に接地層の無い嵌合部と前記真空バルブの可動導体が前記共通導体より突出する側の絶縁物内面に接地層の無い密閉された空胴とが形成された開閉器モールド部を少なくとも２つ以上真空バルブの軸が平行となるように配置すると共に、これら各開閉器モールド部内の前記空胴内に前記真空バルブの可動部導体に絶縁操作ロッドを接続し、この絶縁操作ロッドの他端に前記真空バルブを直線駆動するための操作機構を接続する構成とし、
隣合せに配置された前記開閉器モールド部の嵌合部同志を、コの字形状もしくはＵ字形状をした導体を表面に接地層を有する絶縁物で単相または３相一体にモールドし、その両端に接地層の無い前記開閉器モールド部の嵌合部と嵌合する形状を有する接続モールドユニットにより連結し、残りの開閉器モールド部の嵌合部に、母線接続導体を表面に接地層を有する絶縁物で単相または３相一体にモールドし、一方の端部に接地層の無い前記開閉器モールド部の嵌合部と嵌合する形状を有し、他方の端部に母線を接続する接地層の無い母線接続部を有した母線接続モールド部と、少なくとも３つ以上の端部を有する導体を表面に接地層を有する絶縁物で単相または３相一体にモールドし、少なくとも１つの端部にケーブルを接続する接地層の無い凸形もしくは凹形のブッシングを有し、他の端部に接地層の無い前記開閉器部の嵌合部と嵌合する形状を有した主回路外部取合モールド部を接続したことを特徴とする密閉形スイッチギヤ。
【請求項１６】
請求項１５記載の密閉形スイッチギヤにおいて、母線接続モールド部を接続する開閉器モールド部の真空バルブを断路部とし、残りの開閉器モールド部の真空バルブを遮断部とし、前記断路部と遮断部を各々１つの操作機構で直線駆動するか、または前記断路部と遮断部を各々２つの操作機構で同時または別々に直線駆動することを特徴とする密閉形スイッチギヤ。
【請求項１７】
請求項１５記載の密閉形スイッチギヤにおいて、１つの開閉器モールド部の真空バルブの軸間寸法と、コの字もしくはＵ字形状の接続モールドユニットで接続する２つの開閉器モールド部の当該真空バルブの軸間寸法を同一とし、且つ開閉器モールド部の２つの真空バルブの軸間寸法の半分の寸法と、母線接続導体の母線接続側の母線の中心から母線接続導体を接続する真空バルブの軸までの寸法を等しくしたことを特徴とする密閉形スイッチギヤ。
【請求項１８】
２つの真空バルブの軸を平行にし可動部側を共通の導体で接続してこれらを一体的に表面に接地層を有する絶縁物で単相または３相一体にモールドし、且つ前記真空バルブの固定側導体の軸上に接地層の無い嵌合部と前記真空バルブの可動導体が前記共通導体より突出する側の絶縁物内面に接地層の無い密閉された空胴とが形成された開閉器モールド部を少なくとも２つ以上真空バルブの軸が平行となるように配置すると共に、これら各開閉器モールド部内の前記空胴内に前記真空バルブの可動部導体に絶縁操作ロッドを接続し、この絶縁操作ロッドの他端に前記真空バルブを直線駆動するための操作機構を接続する構成とし、
隣合せの前記開閉器モールド部の共通導体側に形成された嵌合部同志を、直線状の導体を表面に接地層を有する絶縁物で単相または３相一体にモールドしてその両端に接地層の無い前記開閉器部の嵌合部と嵌合する形状を有する直線接続モールドユニットにより連結し、一方の開閉器モールド部の２つの真空バルブの固定導体側の嵌合部に、母線接続導体を表面に接地層を有する絶縁物で単相または３相一体にモールドして一方の端部に接地層の無い前記開閉器モールド部の嵌合部と嵌合する形状を有し、他方の端部に母線を接続する接地層の無い母線接続部を有した母線接続モールド部を接続し、他方の開閉器モールド部の２つの真空バルブの固定導体側嵌合部のうち一方に少なくとも３つ以上の端部を有する導体を表面に接地層を有する絶縁物で単相または３相一体にモールドして少なくとも１つの端部にケーブルを接続する接地層の無い凸形もしくは凹形のブッシングを有し、他の端部に接地層の無い前記開閉器部の嵌合部と嵌合する形状を有した主回路外部取合モールド部を接続し残りの真空バルブの固定導体側の嵌合部に表面に接地層を有する絶縁栓を接続したことを特徴とする密閉形スイッチギヤ。
【請求項１９】
請求項１乃至請求項１８のいずれかに記載の密閉形スイッチギヤが複数列盤される場合の盤間母線において、両端にスライド可能で母線接続部の嵌合部と嵌合できる絶縁物を有する固体絶縁母線の両端を内側にスライドさせた時の全長が、列盤状態で隣接する母線接続部の先端同士の間隔より短くなる固体絶縁母線と、母線接続部の内周に固体絶縁母線と通電接触するためのスライド可能な接触子を有し、前記接触子をスライドさせることで前記母線接続部の先端より突出することが無い母線接続部を用いて構成することを特徴とする密閉形スイッチギヤ。
【発明の詳細な説明】
【０００１】
【発明の属する技術分野】
本発明は、密閉形スイッチギヤに関する。
【０００２】
【従来の技術】
従来のスイッチギヤの一例について、図２９と図３０を用いて説明する。
【０００３】
図２９は、代表的な気中スイッチギヤの右側面図である。同図において、５１はスイッチギヤ本体でこの内部には、閉鎖の形に応じて、仕切板により、機器収納室５２、受電室５３、母線室５４を構成する。また、この機器収納室５２の上部には制御室５５を設け、更に機器収納室５２及び制御室５５の正面には、扉５６,５７を開閉自在に設ける。５８は単位回路を接続する母線部である。５９は分岐導体で、この分岐導体５９の先端はケーブルヘッド６０を介して電源ケーブル６１に接続する。
【０００４】
また、移動形遮断器６２は機器収納室５２に収納し、機器収納室５２と受電室５３，母線室５４を仕切る仕切板の上下に取付けた主回路断路部６３,６４を介して母線部５８および受電側分岐導体５９に電気的に接続する。
【０００５】
尚、上部の主回路断路部６３は、母線部５８と一体構成である。また、下側の主回路断路部６４には、貫通形変流器６５を設けている。
【０００６】
ところが、このような構成のスイッチギヤにおいては、据付け環境（塵埃・湿潤など）により、特に主回路の絶縁が低下してしまい短絡・地絡などの事故に至るケースがあるため、十分な絶縁距離を確保するにはスイッチギヤ全体が大型になっていた。
【０００７】
また、十数年前より主回路構成機器を密閉容器に一括収納し、その容器内に絶縁ガス（ＳＦ6ガス）を封入しスイッチギヤの小型化をしたＣ−ＧＩＳ（キュービクル形ガス絶縁スイッチギヤ）が普及している。
【０００８】
図３０は、代表的なキュービクル形ＳＦ６ガス絶縁スイッチギヤの右側面図である。同図において、７１はスイッチギヤ本体でこの内部は、受電室７２，母線室７３、制御室７４を構成する。このうち受電室７２、母線室７３は密閉容器でその内部には、遮断器７５、３位置断路器（入り−切り−接地）７６の遮断部７５Ａ、断路部７６Ａを配置し低圧力の絶縁ガス（ＳＦ6ガス）を封入し機器のコンパクト化をしている。
【０００９】
ここで、受電室７２に収納した遮断器の遮断部７５Ａの一方の導体７７はケーブルヘッド８１を介して電源ケーブル８２に接続する。
【００１０】
尚、この電源ケーブル８２には、貫通形変流器８３を設けている。
【００１１】
また、遮断器の遮断部７５Ａの他方の導体７８は、受電室７２と母線室７３を貫通する絶縁スペーサ８４を介して母線室７３の３位置断路器の断路部７６Ａの一方の導体７９に接続し、更に３位置断路器７６Ａの他方の導体８０Ａ〜８０Ｃは単位回路を接続する母線８５に接続し、他のユニットと電気的に接続している。また、遮断器７５、３位置断路器７６の操作機構７５Ｂ,７６Ｂは、制御室７４に設けられている。
【００１２】
ところが、このような構成のスイッチギヤにおいては、絶縁ガス自体が高価なことと、その絶縁ガスを封入する気密容器の製作に多大な時間を要すばかりでなく、熟練した技能が必要となり、結果的に高価な物となっている。また、絶縁ガスの使用により気密容器がコンパクトとなり各機器間を接続する導体などの組立に限界を生じている。
【００１３】
また、種々の回路構成に対応するために都度設計を行なっており、製作に多大な時間を要するばかりでなく、設計図面の種類も多くなり、高価なものとなっている。
【００１４】
【発明が解決しようとする課題】
上述のように図２９に示す従来のスイッチギヤにおいては、据付環境（塵埃・湿潤など）による絶縁低下を防止し、十分な絶縁距離を確保するためにスイッチギヤ全体が大きくなっていた。また、塵埃などを除去するために主回路部の清掃を定期的に行なう必要があった。
【００１５】
また、絶縁ガス（ＳＦ6ガス）を封入することにより小型化を図った図３０に示すスイッチギヤにおいては、絶縁ガスが高価なことと、その絶縁ガスを封入する気密容器の製作が容易ではないという問題があった。
【００１６】
また、種々の回路構成に対応できる反面、標準化が少ないという問題があった。
【００１７】
更に、気中絶縁スイッチギヤやＳＦ6ガス絶縁スイッチギヤの主回路部を構成する際には多くの部品とボルトナットを使用しているため、組立や検査に多くの時間を要していた。
【００１８】
本発明は上記のような事情に鑑みてなされたもので、主回路構成機器およびその機器間を接続する導体などを据付け環境の影響を受けない構成とし電気的絶縁に必要な寸法まで縮小化し、標準化した上で種々の回路構成に対応し且つ部品点数を少なくし安全で信頼性の高い密閉形スイッチギヤを提供することを目的とする。
【００１９】
【課題を解決するための手段】
本発明は上記の目的を達成するため、次のような手段により密閉形スイッチギヤを構成する。
【００２４】
本発明は、少なくとも２つの真空バルブをこれら各真空バルブの可動軸が平行で床面に対して垂直になるように配置すると共に、前記各真空バルブの可動部側を共通導体で接続し、且つ一方の前記真空バルブの固定側導体の上部に母線接続導体を配設し、他方の前記真空バルブの固定側導体の上部に少なくとも２つ以上の端部を有する主回路外部接続導体を突出させて配設する構成として、これらを一体的に表面に接地層を有する絶縁物で単相または３相一体にモールドし、  このモールド部は前記真空バルブの可動導体が前記共通導体より突出する側の絶縁物内面に接地層の無い空胴を有し、この空胴内に前記真空バルブの可動導体に絶縁操作ロッドを接続し、この絶縁操作ロッドの他端に前記真空バルブを直線駆動する操作機構を真空バルブの可動軸上に接続したことを特徴とする。
【００２５】
この構成により気中絶縁のように絶縁距離を大きくする必要がなくなりスイッチギヤ全体を縮小化できると共に、ＳＦ6ガス絶縁のように大掛かりな気密容器を必要とせず、更にモールドすることで部品を固定できるため部品点数の大幅な削減が図れ、安全で信頼性の高いスイッチギヤを提供できる。また、開閉部を真空バルブとすることで、更なる縮小化が図れる。
【００２６】
また、別の発明は、少なくとも２つの真空バルブをこれら各真空バルブの可動軸が平行で床面に対して垂直になるように配置すると共に、前記各真空バルブの可動部側を共通導体で接続してこれらを一体的に表面に接地層を有する絶縁物で単相または３相一体にモールドし、且つ前記真空バルブの固定側導体の軸上に接地層の無い嵌合部と前記真空バルブの可動導体が前記共通導体より突出する側の絶縁物内面に接地層の無い空胴とが形成された開閉器モールド部と、母線接続導体を表面に接地層を有する絶縁物で単相または３相一体にモールドし、且つ前記母線接続導体の一方の端部に接地層の無い前記開閉器モールド部の嵌合部と嵌合する形状の嵌合部と他方の端部に接地層の無い母線接続部とが形成された母線接続モールド部と、少なくとも３つ以上の端部を有する主回路外部接続導体を表面に接地層を有する絶縁物で単相または３相一体にモールドし、且つ前記主回路外部接続導体の少なくとも１つの端部にケーブルを接続する接地層の無い凸形もしくは凹形のブッシングと他の端部に接地層の無い前記開閉器モールド部の嵌合部に嵌合する形状の嵌合部とが形成された主回路外部取合モールド部とを備え、これら３つのモールド部を、前記開閉器モールド部の嵌合部で接続すると共に、前記空胴内に前記真空バルブの可動導体に絶縁操作ロッドを接続し、この絶縁操作ロッドの他端に前記真空バルブを直線駆動するための操作機構を真空バルブの可動軸上に接続したものである。
【００２７】
この構成により気中絶縁のように絶縁距離を大きくする必要がなくなりスイッチギヤ全体を縮小化できると共に、ＳＦ6ガス絶縁のように大掛かりな気密容器を必要とせず、更にモールドすることで部品を固定できるため部品点数の大幅な削減が図れ、安全で信頼性の高いスイッチギヤを提供できる。また、開閉部を真空バルブとすることで、更なる縮小化が図れる。更に、モールド部を分割することにより、外部取合いが変更になった場合も当該部のみのモールド金型を変更すれば良いので、変更に対する自由度が向上する。
【００２８】
また、別の発明は少なくとも２つの真空バルブをこれら各真空バルブの可動軸が平行で床面に平行になるように配置すると共に、前記各真空バルブの可動部側を共通導体で接続し、且つ一方の前記真空バルブの固定側導体の軸上に母線接続導体を配設し、他方の前記真空バルブの固定側導体の軸上に少なくとも２つ以上の端部を有する主回路外部接続導体を突出させて配設する構成として、これらを一体的に表面に接地層を有する絶縁物で単相または３相一体にモールドし、このモールド部は前記真空バルブの可動導体が前記共通導体より突出する側の絶縁物内面に接地層の無い空胴を有し、この空胴内に前記真空バルブの可動導体に絶縁操作ロッドを接続し、この絶縁操作ロッドの他端に前記真空バルブの軸上で床面に対して垂直な面に取付けられた直線駆動するための操作機構に接続したものである。
【００２９】
また、別の発明は少なくとも２つの真空バルブをこれら各真空バルブの可動軸が平行で床面に平行になるように配置すると共に、前記各真空バルブの可動部側を共通導体で接続してこれらを一体的に表面に接地層を有する絶縁物で単相または３相一体にモールドし、且つ前記真空バルブの固定側導体の軸上に接地層の無い嵌合部と前記真空バルブの可動導体が前記共通導体より突出する側の絶縁物内面に接地層の無い空胴とが形成された開閉器モールド部と、母線接続導体を表面に接地層を有する絶縁物で単相または３相一体にモールドし、且つ前記母線接続導体の一方の端部に接地層の無い前記開閉器モールド部の嵌合部と嵌合する形状の嵌合部と他方の端部に接地層の無い母線接続部とが形成された母線接続モールド部と、少なくとも３つ以上の端部を有する主回路外部接続導体を表面に接地層を有する絶縁物で単相または３相一体にモールドし、且つ前記主回路外部接続導体の少なくとも１つの端部にケーブルを接続する接地層の無い凸形もしくは凹形のブッシングと他の端部に接地層の無い前記開閉器モールド部の嵌合部に嵌合する形状の嵌合部とが形成された主回路外部取合モールド部とを備え、これら３つのモールド部を、前記開閉器モールド部の嵌合部で接続すると共に、前記空胴内に前記真空バルブの可動導体に絶縁操作ロッドを接続し、この絶縁操作ロッドの他端に前記真空バルブの軸で床面に対して垂直な面に取付けられた直線駆動するための操作機構に接続したものである。
【００３０】
この構成により操作機構をスイッチギヤの正面に取り付けることで、操作性を向上することができる。
【００３１】
また、別の発明は、真空バルブの可動導体が前記共通導体より突出する側の前記共通導体に接触子を設け、前記空胴の前記共通導体と反対側から前記接触子に接続する大地より絶縁された可動導体を設け、この可動導体に接離可能な大地に接地された接地導体を接続し、前記可動導体を直線駆動する操作機構を前記可動導体と絶縁して接続したものである。
【００３２】
この構成により真空バルブの可動側を接地することのできる接地装置を付加することで、単位回路の適用範囲を拡大できる。
【００３３】
また、別の発明は、空胴に空気等の絶縁媒体を密閉したものである。
【００３４】
この構成により真空バルブの可動側の絶縁部を密閉することで、可動部絶縁が外部環境に影響しないようにでき、縮小化と信頼性の向上が図れる。
【００３５】
また、別の発明は、空胴を形成する絶縁物の前記共通導体の近傍周面に導電性シールドを設けたものである。
【００３６】
この構成により真空バルブの可動側にシールドを埋め込むことで、電界強度を均一化し、縮小化と信頼性の向上が図れる。
【００３７】
また、別の発明は、開閉器モールド部、母線接続モールド部及び主回路外部取合モールド部にそれぞれ形成された嵌合部に前記嵌合部を構成する絶縁物よりも柔らかい絶縁物を介在させたものである。
【００３８】
この構成により分割したモールド部を嵌合し絶縁する場合、嵌合部に柔らかい絶縁物を介在させることで、嵌合部の界面の密着性を良なり絶縁性能が向上することで、縮小化が図れる。
【００３９】
また、別の発明は、Ｈ字形の主回路外部接続導体を埋め込んだ主回路外部取合部の各嵌合部に、表面に接地層を有する避雷器又は表面に接地層を有する計器用変成器、表面に接地層を有する真空バルブによる接地装置、表面に接地層を有する試験端子または表面に接地層を有する絶縁栓のうち少なくとも２つ以上を接続したものである。
【００４０】
この構成により避雷器や計器用変成器や真空接地装置や試験端子を付加することで、更に適用範囲の拡大と縮小化を図ることができる。
【００４１】
また、別の発明は、主回路外部取合導体の近傍に円盤状電極を設け、この円盤状電極からモールドの外層に接地層から絶縁された導体を突出させたものである。
【００４２】
この構成により接地から絶縁された埋め込み電極を設けることで、主回路との間に静電容量を有することができ、この静電容量を用いて主回路の充電・非充電を検出することができる。
【００４３】
また、別の発明は、２つの真空バルブの軸間寸法の半分の寸法と、母線接続導体の母線接続側の母線の中心から母線接続導体を接続する真空バルブの軸までの寸法を等しくしたものである。
【００４４】
この構成により母線の中心から母線接続導体を接続する真空バルブの軸までの寸法の２倍の長さと２つの真空バルブの軸間寸法を等しくすることで、真空バルブの固定導体の軸上に母線接続部を前後１８０度回転させて取り付けても母線の位置を同一にでき、スイッチギヤ構成上自由度を大幅に向上できる。
【００４５】
また、別の発明は、真空バルブを直線駆動する操作機構を電磁操作機構としたものである。
【００４６】
この構成により真空バルブを直線駆動する操作機構を電磁操作機構とすることで、リンクなどの部品が無くなり主回路同様に大幅な部品点数の削減を図ることができ且つ、完全な直線駆動ができるため、信頼性の高いスイッチギヤを提供できる。
【００４７】
また、別の発明は、開閉器モールド部に形成された嵌合部の前記真空バルブの固定側導体に凹状部分を設け、この凹状部分に前記母線接続導体または主回路外部取合モールド部の嵌合部を挿入して電気的及び機械的に接続したものである。
【００４８】
この構成により嵌合部の導体嵌合部を真空バルブの固定導体側に凹部を設けて真空バルブ側に突出させることで、スイッチギヤの真空バルブの軸方向の寸法を縮小化できる。
【００４９】
また、別の発明は、２つの真空バルブ間の共通導体と絶縁操作ロッドを接続した真空バルブの可動導体との間の絶縁物に空胴を設けたものである。
【００５０】
この構成により２つの真空バルブの間の共通導体と固定側導体の間の絶縁物に空胴を設けることで、使用する絶縁物の量を減らすことができ、経済的なスイッチギヤを提供できる。
【００５１】
また、別の発明は、２つの真空バルブの軸を平行にし可動部側を共通の導体で接続してこれらを一体的に表面に接地層を有する絶縁物で単相または３相一体にモールドし、且つ前記真空バルブの固定側導体の軸上に接地層の無い嵌合部と前記真空バルブの可動導体が前記共通導体より突出する側の絶縁物内面に接地層の無い密閉された空胴とが形成された開閉器モールド部を少なくとも２つ以上真空バルブの軸が平行となるように配置すると共に、これら各開閉器モールド部内の前記空胴内に前記真空バルブの可動部導体に絶縁操作ロッドを接続し、この絶縁操作ロッドの他端に前記真空バルブを直線駆動するための操作機構を接続する構成とし、隣合わせに配置された前記開閉器モールド部の嵌合部同志を、コの字形状もしくはＵ字形状をした導体を表面に接地層を有する絶縁物で単相または３相一体にモールドし、その両端に接地層の無い前記開閉器モールド部の嵌合部と嵌合する形状を有する接続モールドユニットにより連結し、残りの開閉器モールド部の嵌合部に、母線接続導体を表面に接地層を有する絶縁物で単相または３相一体にモールドし、一方の端部に接地層の無い前記開閉器モールド部の嵌合部と嵌合する形状を有し、他方の端部に母線を接続する接地層の無い母線接続部を有した母線接続モールド部と、少なくとも３つ以上の端部を有する導体を表面に接地層を有する絶縁物で単相または３相一体にモールドし、少なくとも１つの端部にケーブルを接続する接地層の無い凸形もしくは凹形のブッシングを有し、他の端部に接地層の無い前記開閉器部の嵌合部と嵌合する形状を有した主回路外部取合モールド部を接続したものである。
【００５２】
この構成により単位回路毎の主回路構成機器のうち開閉部を真空バルブで構成し、導体などと共に絶縁物で分割モールドし、２つの真空バルブをモールドした開閉器モールド部を少なくとも２つ以上組合わせているので、気中絶縁のように絶縁距離を大きくする必要がなくなりスイッチギヤ全体を縮小化できると共に、ＳＦ6ガス絶縁のように大掛かりな気密容器を必要とせず、更にモールドすることで部品を固定できるため部品点数の大幅な削減が図れ、安全で信頼性の高いスイッチギヤを提供できる。また、開閉部を真空バルブとすることで、更なる縮小化が図れる。更に、モールド部を分割することにより、外部取合いが変更になった場合も当該部のみのモールド金型を変更すれば良いので、変更に対する自由度が向上する。また、開閉器モールド部を２つ以上組み合わせることで、適用できる回路構成を大幅に増やすことができる。
【００５３】
また、別の発明は、母線接続モールド部を接続する開閉器モールド部の真空バルブを断路器とし、残りの開閉器モールド部の真空バルブを遮断部とし、前記断路部と遮断部を各々１つの操作機構で直線駆動するか、または前記断路部と遮断部を各々２つの操作機構で同時または別々に直線駆動するようにしたものである。
【００５４】
この構成により母線側の開閉器部を２点切の断路器とし外部取合い側の開閉器部を２点切の遮断器とすることで、絶縁性能と遮断性能を向上することができる。
【００５５】
また、別の発明は、１つの開閉器モールド部の真空バルブの軸間寸法と、コの字もしくはＵ字形状の接続モールドユニットで接続する２つの開閉器モールド部の当該真空バルブの軸間寸法を同一とし、且つ開閉器モールド部の２つの真空バルブの軸間寸法の半分の寸法と、母線接続導体の母線接続側の母線の中心から母線接続導体を接続する真空バルブの軸までの寸法を等しくしたものである。
【００５６】
この構成により１つの開閉器モールド部の真空バルブの軸間寸法と、コの字もしくはＵ字形状の接続モールドユニットで接続する２つの開閉器モールド部の当該真空バルブの軸間寸法を同一とし、且つ開閉器モールド部の２つの真空バルブの軸間寸法の半分の寸法と、母線接続導体の母線接続側の母線の中心から母線接続導体を接続する真空バルブの軸までの寸法を等しくすることで、５つの母線を自由に構成でき、適用回路と配置の自由度を大幅に向上することができる。
【００５７】
また、別の発明は、２つの真空バルブの軸を平行にし可動部側を共通の導体で接続してこれらを一体的に表面に接地層を有する絶縁物で単相または３相一体にモールドし、且つ前記真空バルブの固定側導体の軸上に接地層の無い嵌合部と前記真空バルブの可動導体が前記共通導体より突出する側の絶縁物内面に接地層の無い密閉された空胴とが形成された開閉器モールド部を少なくとも２つ以上真空バルブの軸が平行となるように配置すると共に、これら各開閉器モールド部内の前記空胴内に前記真空バルブの可動部導体に絶縁操作ロッドを接続し、この絶縁操作ロッドの他端に前記真空バルブを直線駆動するための操作機構を接続する構成とし、隣合せの前記開閉器モールド部の共通導体側に形成された嵌合部同志を、直線状の導体を表面に接地層を有する絶縁物で単相または３相一体にモールドしてその両端に接地層の無い前記開閉器部の嵌合部と嵌合する形状を有する直線接続モールドユニットにより連結し、一方の開閉器モールド部の２つの真空バルブの固定導体側の嵌合部に、母線接続導体を表面に接地層を有する絶縁物で単相または３相一体にモールドして一方の端部に接地層の無い前記開閉器モールド部の嵌合部と嵌合する形状を有し、他方の端部に母線を接続する接地層の無い母線接続部を有した母線接続モールド部を接続し、他方の開閉器モールド部の２つの真空バルブの固定導体側の嵌合部のうち一方に少なくとも３つの端部を有する導体を表面に接地層を有する絶縁物で単相または３相一体にモールドして少なくとも１つの端部にケーブルを接続する接地層の無い凸形もしくは凹形のブッシングを有し、他の端部に接地層の無い前記開閉器部の嵌合部と嵌合する形状を有した主回路外部取合モールド部を接続し、残りの真空バルブの固定導体側の嵌合部に表面に接地層を有する絶縁栓を接続したものである。
【００５８】
この構成により気中絶縁のように絶縁距離を大きくする必要がなくなりスイッチギヤ全体を縮小化できると共に、ＳＦ6ガス絶縁のように大掛かりな気密容器を必要とせず、更にモールドすることで部品を固定できるため部品点数の大幅な削減が図れ、安全で信頼性の高いスイッチギヤを提供できる。また、開閉部を真空バルブとすることで、更なる縮小化が図れる。更に、モールド部を分割することにより、外部取合いが変更になった場合も当該部のみのモールド金型を変更すれば良いので、変更に対する自由度が向上する。また、モールド品同志の取り合い部を３つ以上有する開閉器モールド部を２つ以上組み合わせることで、２重母線構成に適用できる。
【００６１】
また、別の発明は、両端にスライド可能で母線接続部の嵌合部と嵌合できる絶縁物を有する固体絶縁母線の両端を内側にスライドさせた時の全長が、列盤状態で隣接する母線接続部の先端同士の間隔より短くなる固体絶縁母線と、母線接続部の内周に固体絶縁母線と通電接触するためのスライド可能な接触子を有し、前記接触子をスライドさせることで前記母線接続部の先端より突出することが無い母線接続部を用いて構成するものである。
【００６２】
この構成によりスライド構成の固体絶縁母線の長さを隣接する母線接続部の間隔よりも短くすることで、列盤した状態で母線の接続及び取外しができ、現地据付工期を短縮でき、経済的なスイッチギヤを提供できる。
【００６５】
【発明の実施の形態】
以下本発明の実施の形態を図面を参照して説明する。
【００６６】
図１（ａ）は本発明の第１の実施の形態を示すスイッチギヤの電気回路図であり、（ｂ）は同スイッチギヤの一部を断面して示す側面図である。
【００６７】
第１の実施の形態を示すスイッチギヤは、図１（ａ）に示すように真空遮断部ＶＣＢの可動側を真空又は気体断路部ＤＳを直列に介して母線Ｂに接続し、また真空遮断部ＶＣＢの固定側を真空又は気体の接地開閉部ＥＳに接続すると共に、主回路外部取合部を介してケーブルヘッドに接続する主回路を対象としている。
【００６８】
なお、ＣＴはケーブルヘッドより外部の負荷に繋がる導体部に設けられた変流器である。
【００６９】
図１（ｂ）において、１３は金属閉鎖箱で、この金属閉鎖箱１３は主回路機器室１３ａとその下部に操作室１３ｂが形成されている。主回路機器室１３ａには、真空遮断部１及び真空または気体の断路部２をその軸方向が床面に対して垂直になるように並設し、その上部に３相各相に対応する母線取合部４が配設され、さらにこれら真空遮断部１及び真空または気体の断路部２と母線取合部４の背面側に上部に真空又は気体接地開閉部３を設けた主回路外部取合部５が垂直に配置されている。真空または気体接地開閉部３には図示しない直線駆動するための操作機構も取付けられている。
【００７０】
また、操作室１３ｂには真空遮断部１と真空または気体の断路部２を各々に直線駆動するための操作機構７が設けられ、さらに操作室１３ｂの背面部には主回路外部取合部５より導出された電源ケーブル１１を貫通させて貫通型変流器１２が設けられている。
【００７１】
このような構成の主回路機器において、真空遮断部１、真空または気体の接地開閉部３と母線取合部４及び主回路外部取合部５の表面を接地層を有するエポキシ樹脂などの絶縁物６で単相または３相一体でモールドし、これら真空遮断部１、真空または気体の断路部２において、接地層の無い可動側絶縁物内部の空胴８内で真空遮断部１と真空または気体の断路部２の可動導体９に絶縁操作ロッド１０を接続し、他端に真空遮断部１、真空または気体の断路部２に各々直線駆動可能に操作機構７を連結する。
【００７２】
このような構成とすれば、気中絶縁のように絶縁距離を大きくする必要がなくなり、スイッチギヤ全体を縮小化できると共に、ＳＦ6ガス絶縁のように大掛かりな気密容器を必要とせず、更にモールドにより部品が固定されるため、部品点数と組立時間の大幅な削減が図れ、安全で信頼性の高いスイッチギヤを提供できる。
【００７３】
図２は本発明の第２の実施の形態を一部を断面して示す側面図で、スイッチギヤの電気回路については図１（ａ）と同じなので省略してある。また、図１（ｂ）と同一構成部品には同一符合を付して示し、ここでは異なる部分について述べる。
【００７４】
第２の実施の形態では、図２に示すように母線取合部４を表面に接地層を有するエポキシ樹脂などの絶縁物６で単相または３相一体でモールドした母線接続ユニット１４と、真空遮断部１、真空または気体の断路部２、真空または気体の接地開閉部３及び主回路外部取合部５を表面に接地層を有する絶縁物６で単相または３相一体でモールドした開閉器ユニット１５とを各々別個に構成し、これら母線接続ユニット１４と開閉器ユニット１５とを嵌合部１６にて電気的及び機械的に結合するようにしたものである。
【００７５】
この場合、母線接続ユニット１４側にテーパ面を有する凸部が形成され、開閉器ユニット１５側にはこの凸部に合致する凹部が形成されている。
【００７６】
このような構成とすれば、気中絶縁のように絶縁距離を大きくする必要がなくなり、スイッチギヤ全体を縮小化できると共に、ＳＦ6ガス絶縁のように大掛かりな気密容器を必要とせず、更にモールドにより部品が固定されるため、部品点数と組立時間の大幅な削減が図れ、安全で信頼性の高いスイッチギヤを提供できる。更に、モールド部を複数ユニットに分割することにより、外部取合いが変更になった場合でも当該部のみのモールド金型を変更すれば良いので、変更に対する自由度が向上する。
【００７７】
図３（ａ）は本発明の第３の実施の形態を示すスイッチギヤの電気回路図であり、（ｂ）は同スイッチギヤの一部を断面して示す側面図で、図１と同一部品には同一符合を付して説明する。
【００７８】
第３の実施の形態を示すスイッチギヤは、図３（ａ）に示すように真空遮断部ＶＣＢの可動側を真空又は気体断路部ＤＳを直列に介して母線Ｂに接続し、また真空遮断部ＶＣＢの固定側を主回路外部取合部を介してケーブルヘッドに接続する主回路を対象としている。
【００７９】
なお、ＣＴはケーブルヘッドより外部の負荷に繋がる導体部に設けられた変流器である。
【００８０】
図３（ｂ）において、１３ｂは操作室、２２は操作室１３ｂの上部前方に設けられた制御箱である。この制御箱２２の背面側の操作室１３ｂの上部に、可動部側を共通導体１８で接続した少なくとも２つの真空バルブ１７をその軸が平行で床面に対して垂直になるように配置すると共に、その一方の真空バルブ１７の固定側導体の軸上に配置される断面が略Ｌ字形の３相各相に対応する母線接続導体１９を接続し、他方の前記真空バルブ１７の固定側導体の軸上に突出させて設けられた断面が略Ｈ字形の主回路外部接続導体２０を接続する構成とする。
【００８１】
また、操作室１３ｂの背面部には主回路外部取合部５より導出された電源ケーブル１１を貫通させて貫通型変流器１２が設けられている。
【００８２】
このような構成の主回路機器において、少なくとも２つの真空バルブ１７、母線接続導体１９及び主回路外部接続導体２０の表面を接地層を有するエポキシ樹脂などの絶縁物で単相または３相一体にモールドし、これら真空バルブ１７の可動導体が前記共通導体より突出する側の絶縁物内面に形成された接地層の無い略長円柱状の空胴２１内で真空バルブ１７の可動導体９に絶縁操作ロッド１０を接続し、この絶縁操作ロッド１０の他端に真空バルブ１７を直線駆動可能に操作機構７を連結する。
【００８３】
この場合、操作機構７は真空バルブ１７の軸の延長線上で真空バルブの下方に接続される。
【００８４】
なお、図中２３は略Ｈ字形の主回路外部取合導体２０の先端部に嵌込まれた絶縁栓である。
【００８５】
このような構成とすれば、気中絶縁のように絶縁距離を大きくする必要がなくなり、スイッチギヤ全体を縮小化できると共に、ＳＦ6ガス絶縁のように大掛かりな気密容器を必要とせず、更にモールドすることで部品が固定されるため、部品点数の大幅な削減が図れ、安全で信頼性の高いスイッチギヤを提供できる。また、開閉部を真空バルブとすることで、更なる縮小化が図れる。
【００８６】
図４は本発明の第４の実施の形態を一部を断面して示す側面図で、スイッチギヤの電気回路については図３（ａ）と同じなので省略してある。また、図３（ｂ）と同一構成部品には同一符合を付して示し、ここでは異なる部分について述べる。
【００８７】
第４の実施の形態では、図４に示すように少なくとも２つの真空バルブ１７を表面に接地層を有し、且つ真空バルブ１７の可動導体が共通導体１８より突出する側の絶縁物内面に接地層の無い略長円柱状の空胴２１を有するエポキシ樹脂などの絶縁物で単相または３相一体にモールドした開閉器モールド部２４と、断面が略Ｌ字形の導体を表面に接地層を有するエポキシ樹脂などの絶縁物で単相または３相一体にモールドした母線接続モールド部２５と、断面が略Ｈ字形の導体を表面に接地層を有するエポキシ樹脂などの絶縁物で単相または３相一体にモールドし、且つ少なくとも１つの端部にケーブルを接続する接地層の無い凸形もしくは凹形のブッシングを有する主回路外部取合モールド部２６とを各々別個に構成し、これら開閉器モールド部２４、母線接続モールド部２５及び主回路外部取合モールド部２６とを嵌合部１６ａにて電気的及び機械的に結合するようにしたものである。
【００８８】
この場合、開閉器モールド部２４には、２つの真空バルブ１７の各々の固定側導体の軸上に接地層の無いすり鉢形状の凹部が形成され、また母線接続モールド部２５には開閉器モールド部２４の一方の端部に形成された接地層の無いすり鉢形状の凹部と嵌合する母線を接続する接地層の無い円錐形状の凸部が形成され、さらに主回路外部取合モールド部２６には、接地層の無い開閉器部のすり鉢形状と嵌合する円錐形状の凸部が形成されている。
【００８９】
このような構成とすれば、単位回路毎の主回路構成機器のうち開閉部を真空バルブで構成し、導体などと共に絶縁物で分割モールドし、これらを組合わせるようにしたので、気中絶縁のように絶縁距離を大きくする必要がなくなり、スイッチギヤ全体を縮小化できると共に、ＳＦ6ガス絶縁のように大掛かりな気密容器を必要とせず、更にモールドすることで部品を固定できるため部品点数の大幅な削減が図れ、安全で信頼性の高いスイッチギヤを提供できる。また、開閉部を真空バルブとすることで、更なる縮小化が図れる。更に、モールド部を分割することにより、外部取合いが変更になった場合も当該部のみのモールド金型を変更すれば良いので、変更に対する自由度が向上する。また、主回路外部取合部を上下逆様に取付けることで、ケーブル上引込みにも対応できる。
【００９０】
図５は本発明の第５の実施と第６の実施の形態を一部を断面して示す側面図で、スイッチギヤの電気回路については図３（ａ）と同じなので省略してある。また、図３（ｂ）と同一構成部品には同一符合を付して説明する。
【００９１】
図５において、２７はベース上に高さ方向に長形な制御箱で、この制御箱２７は上部に操作室２７ａ、下部に制御室２７ｂが形成されている。この制御箱２７の背部の垂直取付面２７ｃに対して２つの真空バルブ１７をその各軸が直交し、且つベースに対して平行になるように高さ方向に適宜離間させて配置すると共に、その一方の真空バルブ１７の固定側導体の軸上に配置される断面が略Ｌ字形の３相各相に対応する母線接続導体１９を接続し、他方の真空バルブ１７の固定側導体の軸上に突出させて設けられる断面が略Ｈ字形の主回路外部取合導体２０を接続する構成とする。
【００９２】
また、２つの真空バルブ１７の可動導体９に絶縁操作ロッド１０を接続し、他端を操作室２７ａに設けられた操作機構７に各々直線駆動可能に連結する。さらに、他方の真空バルブ１７の固定側導体に接続される主回路外部取合導体２０の他端部よりベースに対して垂直に設けられたケーブルヘッドを介して電源ケーブル１１が導出され、この電源ケーブル１１を貫通させて貫通型変流器１２が設けられる。
【００９３】
このような構成の主回路機器において、少なくとも２つの真空バルブ１７を表面に接地層を有し、且つ真空バルブ１７の可動導体が共通導体１８より突出する側の絶縁物内面に接地層の無い略長円柱状の空胴２１を有するエポキシ樹脂などの絶縁物で単相または３相一体にモールドした開閉器モールド部２４と、断面が略Ｌ字形の導体を表面に接地層を有するエポキシ樹脂などの絶縁物で単相または３相一体にモールドした母線接続モールド部２５と、断面が略Ｈ字形の導体を表面に接地層を有するエポキシ樹脂などの絶縁物で単相または３相一体にモールドし、且つ少なくとも１つの端部にケーブルを接続する接地層の無い凸形もしくは凹形のブッシングを有する主回路外部取合モールド部２６とを各々別個に構成し、これら開閉器モールド部２４、母線接続モールド部２５及び主回路外部取合モールド部２６とを嵌合部１６ａにて電気的及び機械的に結合するようにしたものである。
【００９４】
この場合、開閉器モールド部２４には、２つの真空バルブ１７の各々の固定側導体の軸上に接地層の無いすり鉢形状の凹部が形成され、また母線接続モールド部２５には開閉器モールド部２４の一方の端部に形成された接地層の無いすり鉢形状の凹部と嵌合する母線を接続する接地層の無い円錐形状の凸部が形成され、さらに主回路外部取合モールド部２６には、接地層の無い前記開閉器部のすり鉢形状と嵌合する円錐形状の凸部が形成されている。
【００９５】
なお、図中２３は略Ｈ字形の主回路外部取合導体２０の先端部に嵌込まれた絶縁栓である。
【００９６】
このような構成とすれば、前述した第３及び第４の実施の形態と同様の効果が得られ、さらに操作機構７を制御箱２７の上部のスイッチギヤの正面に取り付けることで、操作性を向上することができる。
【００９７】
なお、上記実施の形態では、開閉器モールド部２４、母線接続モールド部２５及び主回路外部取合モールド部２６に分割してこれらを嵌合部１６ａにて電気的及び機械的に結合するようにしたが、２つの真空バルブ１７、略Ｌ字形の３相各相に対応する母線接続導体１９及び略Ｈ字形の主回路外部取合導体２０を一体的にモールドするようにしても良い。
【００９８】
図６（ａ）は本発明の第７の実施の形態を示すスイッチギヤの電気回路図であり、（ｂ）は同スイッチギヤの一部を断面して示す側面図で、図４と同一構成部品には同一符合を付してその説明を省略し、ここでは異なる点について述べる。
【００９９】
第７の実施の形態を示すスイッチギヤは、図６（ａ）に示すように真空遮断部ＶＣＢの可動側を真空断路部ＤＳを直列に介して母線Ｂに接続すると共に、接地開閉器ＥＳに接続し、また真空遮断部ＶＣＢの固定側を主回路外部取合部を介してケーブルヘッドに接続する主回路を対象としている。
【０１００】
なお、ＣＴはケーブルヘッドより外部の負荷に繋がる導体部に設けられた変流器である。
【０１０１】
第７の実施の形態では、図６に示すように真空バルブ１７の可動導体より下方の共通導体１８の略中央に接触子２８を設け、操作室１３ｂに設けられた接地装置付操作機構３０により直線駆動される可動導体２９を開閉器モールド部２４の下部に形成された略長円柱状の空胴２１を通して接触子２８に接触又は開離操作可能な構成とするものである。
【０１０２】
このような構成とすれば、真空バルブ１７の可動側を接地装置により接地することができるので、単位回路の適用範囲を拡大することができる。
【０１０３】
図７は本発明の第８の実施の形態を一部を断面して示す側面図で、図４と同一構成部品には同一符合を付して示し、ここでは異なる部分について述べる。
【０１０４】
第８の実施の形態では、図７に示すように操作室１３ｂの上面に取付けられる開閉器モールド部２４の下部に形成された略長円柱状の空胴３１を密閉するため、開閉器モールド部２４が固定される操作室１３ｂの上面との間にパッキン３３を挿入すると共に、操作室１３ｂ側より空胴２１内に挿入される操作ロッド１０の貫通部にシール部３２を設けて空胴２１内に空気などの絶縁媒体を密閉するようにしたものである。
【０１０５】
このような構成とすれば、真空バルブの可動側の絶縁部が密閉されるので、可動部絶縁が外部環境に影響されることがなく、スイッチギヤの縮小化と信頼性の向上を図ることができる。
【０１０６】
図８は本発明の第９の実施の形態を一部を断面して示す側面図で、図４と同一構成部品には同一符合を付して示し、ここでは異なる部分について述べる。
【０１０７】
第９の実施の形態では、図８に示すように開閉器モールド部２４の下部に形成された略長円柱状の空胴２１の共通導体１８近傍周面に金属や導電性プラスチックでできた導電性シールド３４を埋設したものである。
【０１０８】
このような構成とすれば、真空バルブ１７の可動側にシールド３４を埋め込むことで電界強度を均一化し、縮小化と信頼性の向上が図れる。
【０１０９】
図９は本発明の第１０の実施の形態を一部を断面して示す側面図で、図４と同一構成部品には同一符合を付して示し、ここでは異なる部分について述べる。
【０１１０】
第１０の実施の形態では、図９に示すように開閉器モールド部２４に形成された２つの真空バルブ１７の各々の固定側導体の軸上に接地層の無いすり鉢形状の凹部と母線接続モールド部２５及び主回路外部取合モールド部２６にそれぞれ形成された接地層の無い円錐形状の凸部との嵌合部、並びにさら主回路外部取合モールド部２６の上方両端部と絶縁栓２３との嵌合部にすり鉢形状を構成するエポキシ樹脂などの絶縁物よりも柔らかいシリコンゴムや耐熱性ＥＰゴムなどの絶縁物３５を介在させるようにしたものである。
【０１１１】
このような構成とすれば、各モールド部を嵌合し絶縁する場合、嵌合部に柔らかい絶縁物を介在させることにより、嵌合部の界面の密着性が良くなり、絶縁性能が向上するので、スイッチギヤの縮小化を図ることができる。
【０１１２】
図１０は本発明の第１１の実施の形態を一部を断面して示す側面図で、図４と同一構成部品には同一符合を付して示し、ここでは異なる部分について述べる。
【０１１３】
第１１の実施の形態では、図１０に示すように主回路外部取合モールド部２６の上方両端部に嵌合される絶縁栓２３に代えて、その一方の端部に表面接地層を有する避雷器３６、または表面接地層を有する計器用変成器３７を嵌合し、また他方の端部に表面に接地層を有する絶縁物でモールドした真空バルブ３８ａを嵌合するようにしたものである。
【０１１４】
この真空バルブ３８ａは、その可動部側に接地層の無い略円柱状の空胴３８ｂを有し、この空胴３８ｂ内に真空バルブの可動部導体に絶縁ロッド３８ｃを接続し、この絶縁ロッド３８ｃの他端に真空バルブ３８ａを直線駆動する操作機構３８ｄを接続して真空バルブ３８ａの可動導体を表面接地層から絶縁し、この絶縁された可動導体に切離可能な接地された導体を接続した接地装置３８が結合されている。
【０１１５】
このような構成とすれば、避雷器３６や計器用変成器３７、真空接地装置３８や試験端子を付加することにより、更に適用範囲の拡大と縮小化を図ることができる。
【０１１６】
図１１は本発明の第１２の実施の形態を一部を断面して示す側面図で、図４と同一構成部品には同一符合を付して示し、ここでは異なる部分について述べる。
【０１１７】
第１２の実施の形態では、図１１に示すように主回路外部取合モールド部２６内の略Ｈ字形導体２０の近傍に円盤状電極３９を埋設し、この円盤状電極３９からモールドの外層に接地層から絶縁された導体を突出させるようにしたものである。
【０１１８】
このような構成とすれば、接地から絶縁された埋め込み電極３９を設けることで、主回路との間に静電容量が形成されるので、この静電容量を用いて主回路の充電・非充電を検出することができる。
【０１１９】
図１２は本発明の第１３の実施の形態を一部を断面して示す側面図で、図４と同一構成部品には同一符合を付して示し、ここでは異なる部分について述べる。
【０１２０】
第１３の実施の形態では、図１２に示すように２つの真空バルブ１７の軸間寸法の半分の寸法と、略Ｌ字形の母線接続導体１９の母線接続側の母線の中心からＬ字に曲がる部分の中心までの寸法とが等しくなるようにしたものである。
【０１２１】
このような構成とすれば、Ｌ字に曲がった母線接続部の寸法の２倍の長さと２つの真空バルブ１７の軸間寸法を等しくすることにより、真空バルブ１７の固定導体の軸上に母線接続部を前後１８０度回転させて取り付けても母線の位置を同一にでき、スイッチギヤ構成上の自由度を大幅に向上できる。
【０１２２】
図１３は本発明の第１４の実施の形態を一部を断面して示す側面図で、図４と同一構成部品には同一符合を付して示し、ここでは異なる部分について述べる。
【０１２３】
第１４の実施の形態では、図１３に示すように真空バルブ１７を直線駆動する操作機構を電磁操作機構４０としたものである。この電磁操作機構４０は永久磁石４０ａ、コイル４０ｂ及び操作ロッド１０に結合されたアーマチュア４０ｃより構成されている。
【０１２４】
このような構成とすれば、真空バルブ１７を直線駆動する操作機構を電磁操作機構４０とすることで、リンクなどの部品が無くなり、主回路同様に大幅な部品点数の削減を図ることができ、且つ完全な直線駆動ができるため、信頼性の高いスイッチギヤを提供できる。
【０１２５】
図１４は本発明の第１５の実施の形態を一部を断面して示す側面図で、図４と同一構成部品には同一符合を付して示し、ここでは異なる部分について述べる。
【０１２６】
第１５の実施の形態では、図１４に示すように開閉器モールド部２４の各真空バルブ１７の固定側導体に対応させて形成されたすり鉢形状の導体嵌合部において、真空バルブ１７の固定側導体に凹状部分１７ａを設け、この凹状部分１７ａにＬ字形母線接続導体１９の嵌合部に設けられた接触子１７ｂを挿入して電気的及び機械的に接続するようにしたものである。
【０１２７】
このような構成とすれば、すり鉢状の導体嵌合部を真空バルブの固定導体側に凹部を設けて真空バルブ側に突出させることで、スイッチギヤの真空バルブの軸方向の寸法を縮小化できる。
【０１２８】
図１５は本発明の第１６の実施の形態を一部を断面して示す側面図で、図４と同一構成部品には同一符合を付して示し、ここでは異なる部分について述べる。
【０１２９】
第１６の実施の形態では、図１５に示すように２つの真空バルブ１７の間の共通導体１８と固定側導体の間の絶縁物に空胴４１を設けたものである。
【０１３０】
このような構成とすれば、２つの真空バルブ１７の間の共通導体１８と固定側導体の間の絶縁物に空胴４１を設けることで、使用する絶縁物の量を減らすことができ、経済的なスイッチギヤを提供できる。
【０１３１】
前述した第４の実施の形態においては、少なくとも２つの真空バルブ１７を表面に接地層を有する絶縁物で単相または３相一体にモールドした開閉器モールド部２４、断面が略Ｌ字形の導体を表面に接地層を有する絶縁物で単相または３相一体にモールドした母線接続モールド部２５及び断面が略Ｈ字形の導体を表面に接地層を有するエポキシ樹脂などの絶縁物で単相または３相一体にモールドした主回路外部取合モールド部２６を組合せ結合した構成の一例について説明したが、開閉器モールド部２４を用途に応じて次のような構成として母線接続モールド部２５及び主回路外部取合モールド部２６と組合せ結合するようにしても良い。
【０１３２】
図１６（ａ）は開閉器モールド部２４の２つの真空バルブのうち一方を遮断器、他方を断路器とした場合の構成、（ｂ）は両方を遮断器とした場合、（ｃ）は両方を断路器とした場合の構成である。
【０１３３】
図１７（ａ）は２つの真空バルブのうち一方を真空バルブに替わって導体、他方を遮断器とした場合、（ｂ）は一方を真空バルブに替わって導体、他方を断路器とした場合、（ｃ）は２つの真空バルブに替わって両方を導体とした場合の構成である。
【０１３４】
図１８は、母線接続部を主回路外部取合い部としたもので、（ａ）は一方の真空バルブを断路器、他方を遮断器とした場合、（ｂ）は両方の真空バルブを遮断器とした場合、（ｃ）は両方の真空バルブを断路器とした場合の構成である。
【０１３５】
図１９は、母線接続部を主回路外部取合い部としたもので、（ａ）は２つの真空バルブのうち一方を真空バルブに替わって導体、他方を遮断器とした場合、（ｂ）は一方を真空バルブに替わって導体、他方を断路器とした場合、（ｃ）は２つの真空バルブに替わって両方を導体とした場合の構成である。
【０１３６】
図２０は主回路外部取合い部を母線接続部としたもので、（ａ）は一方の真空バルブを断路器、他方を遮断器とした場合、（ｂ）は両方の真空バルブを遮断器とした場合、（ｃ）は両方の真空バルブを断路器とした場合である。
【０１３７】
図２１は主回路外部取合い部を母線接続部としたもので、（ａ）は２つの真空バルブのうち一方を真空バルブに替わって導体、他方を遮断器とした場合、（ｂ）は一方を真空バルブに替わって導体、他方を断路器とした場合、（ｃ）は２つの真空バルブに替わって両方を導体とした場合の構成である。
【０１３８】
このように真空バルブの用途を変えることにより、任意の回路を構成でき、種々の単位回路に適用することができる。
【０１３９】
図２２（ａ）は本発明の第１７の実施の形態を示すスイッチギヤの電気回路図であり、（ｂ）は同スイッチギヤの一部を断面して示す側面図である。なお、図４と同一部品には同一符合を付して説明する。
【０１４０】
第１７の実施の形態を示すスイッチギヤは、図２２（ａ）に示すように真空遮断部ＶＣＢの可動側を真空又は気体断路部ＤＳを直列に介して母線Ｂに接続し、また真空遮断部ＶＣＢの固定側を真空又は気体の接地開閉部ＥＳに接続すると共に、真空又は気体断路部ＤＳを直列に介して主回路外部取合部に繋がるケーブルヘッドと真空又は気体の接地開閉部ＥＳ及び計器用変圧器ＶＴに接続する主回路を対象としている。この場合、計器用変圧器ＶＴに代えて避雷器ＳＡＲを接続しても良い。
【０１４１】
なお、ＣＴはケーブルヘッドより外部の負荷に繋がる導体部に設けられた変流器である。
【０１４２】
図２２（ｂ）において、１３ｂは操作室、２２は操作室１３ｂの上部前方に設けられた制御箱である。この制御箱２２の背面側の操作室１３ｂ上に１つの真空バルブ１７と１つの導体１７ａをその軸が平行に、且つ床面に対して垂直になるように配設し、これらを一体的に表面に接地層を有するエポキシ樹脂などの絶縁物で単相または３相一体にモールドした開閉器モールド部２４ａを配置する。
【０１４３】
この開閉器モールド部２４ａには、１つの真空バルブ１７の固定側導体の軸上と導体１７ａの軸上に接地層の無いすり鉢形状の凹部が形成され、また真空バルブ１７の可動側導体と導体１７ａの下端が共通導体１８により接続され、この共通導体１８より下方に突出する側の絶縁物内面に接地層の無い密閉された略長円柱状の空胴３１が形成されている。
【０１４４】
この空胴３１内で真空バルブ１７の可動導体９に絶縁操作ロッド１０を接続し、この絶縁操作ロッド１０の他端に操作室１３ｂに設けられた操作機構７を接続して真空バルブ１７の可動側を直線駆動可能になっている。
【０１４５】
また、回路構成上必要に応じて真空バルブ１７の可動導体が突出する側の共通導体１８に接触子２８を設け、操作室１３ｂに設けられた接地装置付操作機構３０により直線駆動される可動導体２９を開閉器モールド部２４ａの下部に形成された略長円柱状の空胴２１を通して接触子２８に接触又は開離操作可能な構成となっている。
【０１４６】
さらに、開閉器モールド部２４ａの１つの真空バルブ１７の固定側導体の軸上に形成された接地層の無いすり鉢形状の凹部に、断面が略Ｌ字形の導体を表面に接地層を有するエポキシ樹脂などの絶縁物で単相または３相一体にモールドした母線接続モールド部２５に形成された接地層の無い凸部を嵌合して接続する。
【０１４７】
一方、制御箱２２の背面後方側の操作室１３ｂ上に可動部側を共通の導体１８で接続した２つの真空バルブ１７をその各軸が平行に、且つ床面に対して垂直になるように配設し、これらを一体的に表面にエポキシ樹脂などの接地層を有する絶縁物で単相または３相一体にモールドした開閉器モールド部２４ｂを配置する。
【０１４８】
この場合、開閉モールド部２４ｂには、２つの真空バルブ１７の各々の固定側導体の軸上に接地層の無いすり鉢形状の凹部が形成され、また真空バルブ１７の可動側導体が共通導体１８より突出する側の絶縁物内面に接地層の無い密閉された略長円柱状の空胴２１が形成されている。
【０１４９】
この空胴２１内で真空バルブ１７の可動導体９に絶縁操作ロッド１０を接続し、この絶縁操作ロッド１０の他端に操作室１３ｂに設けられた操作機構７を接続して真空バルブ１７の可動側を直線駆動可能になっている。
【０１５０】
また、回路構成上必要に応じて真空バルブ１７の可動導体が共通導体１８より突出する側の共通導体部に接触子２８を設け、操作室１３ｂに設けられた接地装置付操作機構３０により直線駆動される可動導体２９を開閉器モールド部２４の下部に形成された略長円柱状の空胴２１を通して接触子２８に接触又は開離操作可能な構成となっている。
【０１５１】
さらに、開閉器モールド部２４ｂの他方の真空バルブ１７の軸上に形成された鉢形状の凹部に、断面が略Ｈ字形の導体を表面に接地層を有するエポキシ樹脂などの絶縁物で単相または３相一体にモールドし、且つ少なくとも１つの端部にケーブルを接続する接地層の無い凸形もしくは凹形のブッシングと他の３つの端部に接地層の無い開閉器モールド部２４ｂのすり鉢形状と嵌合する形状の凸部を有する主回路外部取合モールド部２６の凸部を嵌合して接続する。また、主回路外部取合モールド部２６よりブッシングを介して導出された電源ケーブル１１を貫通させて貫通型変流器１２が設けられている。
【０１５２】
主回路外部取合モールド部２６の上方両端部の一方に表面接地層を有する避雷器３６、または表面接地層を有する計器用変成器３７を嵌合し、また他方の端部に表面に接地層を有するエポキシ樹脂などの絶縁物でモールドした真空バルブ３８ａを嵌合するようにしたものである。
【０１５３】
この真空バルブ３８ａは、その可動部側に接地層の無い略円柱状の空胴３８ｂを有し、この空胴３８ｂ内に真空バルブの可動部導体に絶縁ロッド３８ｃを接続し、この絶縁ロッド３８ｃの他端に真空バルブ３８ａを直線駆動する操作機構３８ｄを接続して真空バルブ３８ａの可動導体を表面接地層から絶縁し、この絶縁された可動導体に切離可能な接地された導体を接続した接地装置３８が結合されている。
【０１５４】
これら開閉器モールド部２４ａの導体の軸上に形成された鉢形状の凹部と開閉器モールド部２４ｂのとの間をコの字形状もしくはＵ字形状をした導体４２を表面に接地層を有するエポキシ樹脂などの絶縁物で単相または３相一体にモールドし、その両端に接地層の無い前記開閉器部のすり鉢形状と嵌合する形状を有する接続モールドユニット４３により連結する。
【０１５５】
このような構成のスイッチギヤとすれば、単位回路毎の主回路構成機器のうち開閉部を真空バルブで構成し、導体などと共に絶縁物で分割モールドし、２つの真空バルブをモールドした開閉器モールド部を少なくとも２つ以上組合せることにより、気中絶縁のように絶縁距離を大きくする必要がなくなり、スイッチギヤ全体を縮小化できると共に、ＳＦ6ガス絶縁のように大掛かりな気密容器が不要となる。
【０１５６】
更に、主回路構成機器をモールドすることで部品を固定できるため、部品点数の大幅な削減を図ることができ、安全で信頼性の高いものとなし得る。
【０１５７】
また、開閉部を真空バルブとすることで、更なる縮小化を図ることができ、更に、モールド部を分割することにより、外部取合いが変更になった場合でも当該部のみのモールド金型を変更すれば良いので、変更に対する自由度が向上する。
【０１５８】
さらに、開閉器モールド部を２つ以上組み合わせることで、適用できる回路構成を大幅に増やすことができる。
【０１５９】
図２３（ａ）は本発明の第１８の実施の形態を示すスイッチギヤの電気回路図であり、（ｂ）は同スイッチギヤの一部を断面して示す側面図で、図２２と同一部分には同一符号を付してその説明を省略し、ここでは異なる部分について述べる。
【０１６０】
第１８の実施の形態を示すスイッチギヤは、図２３（ａ）に示すように２つの真空又は気体断路部ＤＳと２つの真空遮断器ＶＣＢを直列に介して母線Ｂに接続し、また２つの真空又は気体断路部ＤＳの直列接続間及び２つの真空遮断部ＶＣＢの直列接続間に真空又は気体の接地開閉部ＥＳをそれぞれ接続する以外は図２２（ａ）と同じである。
【０１６１】
第１８の実施の形態では、図２３に示すように母線接続モールド部２５を接続する開閉器モールド部２４ａの真空バルブと導体をそれぞれ断路器４４とし、他方の開閉器モールド部２４ｂの真空バルブを遮断部４５とし、断路部４４と遮断部４５を各々２つの操作機構４４ａ，４４ｂ、４５ａ，４５ｂで直線駆動するようにしたものである。この場合、断路部４４と遮断部４５を各々１つの操作機構で同時または別々に駆動するようにしてもよい。
【０１６２】
このような構成のスイッチギヤとすれば、母線側の開閉器部を２点切の断路器とし外部取合い側の開閉器部を２点切の遮断器とすることで、絶縁性能と遮断性能を向上することができる。この時絶縁操作ロッドと略長円柱状内面の絶縁性能向上のため絶縁性能のより高い絶縁媒体を密閉する。
【０１６３】
図２４は本発明の第１９の実施の形態を一部を断面して示す側面図で、図２２と同一部分には同一符号を付してその説明を省略し、ここでは異なる部分について述べる。
【０１６４】
第１９の実施の形態では。、図２４に示すように１つの開閉器モールド部の真空バルブの軸間寸法と、コの字もしくはＵ字形状の接続モールドユニット４３で接続する２つの開閉器モールド部２４ａ，２４ｂの当該真空バルブの軸間寸法を同一とし、且つ開閉器モールド部の２つの真空バルブの軸間寸法の半分の寸法と、略Ｌ字形の母線接続導体の母線接続側の母線の中心からＬ字に曲がる部分の中心までの寸法が等しくなるようにしたものである。
【０１６５】
このような構成とすれば、１つの開閉器モールド部の真空バルブの軸間寸法と、コの字もしくはＵ字形状の接続モールドユニット４３で接続する２つの開閉器部の当該真空バルブの軸間寸法を同一とし、且つ開閉器モールド部の２つの真空バルブの軸間寸法の半分の寸法と、略Ｌ字形の母線接続導体の母線接続側の母線の中心からＬ字に曲がる部分の中心までの寸法を等しくすることで、４つの母線を自由に構成できる。
【０１６６】
図２５（ａ）は本発明の第２０の実施の形態を示すスイッチギヤの電気回路図であり、（ｂ）は同スイッチギヤの一部を断面して示す側面図で、図２３と同一部分には同一符号を付してその説明を省略し、ここでは異なる部分について述べる。
【０１６７】
第２０の実施の形態では、図２５（ａ）に示すように二重母線Ｂ１，Ｂ２に断路器ＤＳ１，ＤＳ２の一端を接続し、この断路器ＤＳ１，ＤＳ２の他端を共通にして遮断器ＶＣＢの一端に接続すると共に、接地開閉器ＥＳに接続し、また遮断器ＶＣＢの他端を主回路外部取合部に繋がるケーブルヘッドと真空又は気体の接地開閉部ＥＳ及び避雷器ＳＡＲまたは計器用変圧器ＶＴに接続する主回路を対象としている。
【０１６８】
第２０の実施の形態では、図２５（ｂ）に示すように開閉器モールド部２４ａの断路器４４の軸上に形成された鉢形状の凹部と開閉器モールド部２４ｂの遮断器４５の軸上に形成された鉢形状の凹部との間に嵌合された接続モールドユニット４３を取外して、開閉器モールド部２４ａの断路器４４の軸上に形成された鉢形状の凹部に断面が略Ｌ字形の導体を表面に接地層を有する絶縁物で単相または３相一体にモールドした母線接続モールド部２５ｂに形成された接地層の無い凸部を嵌合して接続する。この場合、もう一方の断路器４４側に嵌合させて接続された母線接続モールド部２５ａと対称的になるように配置される。
【０１６９】
また、開閉器モールド部２４ｂにおいては、接続モールドユニット４３が嵌合していた側を導体４５ａとするものである。
【０１７０】
このようなスイッチギヤとすれば、単位回路毎の主回路構成機器のうち開閉部を真空バルブで構成し、導体などと共に絶縁物で分割モールドし、２つの真空バルブをモールドし、且つモールド品同志の取り合い部を各々の真空バルブの固定導体側に１つずつと共通の可動導体側に１つ以上、計３つ以上有する開閉器モールド部を少なくとも２つ以上組み合わせて構成したものである。この構成により気中絶縁のように絶縁距離を大きくする必要がなくなりスイッチギヤ全体を縮小化できると共に、ＳＦ6ガス絶縁のように大掛かりな気密容器を必要とせず、更にモールドすることで部品を固定できるため部品点数の大幅な削減が図れ、安全で信頼性の高いものとなし得る。また、開閉部を真空バルブとすることで、更なる縮小化が図れる。更に、モールド部を分割することにより、外部取合いが変更になった場合も当該部のみのモールド金型を変更すれば良いので、変更に対する自由度が向上する。また、モールド品同志の取り合い部を３つ以上有する開閉器モールド部を２つ以上組み合わせることで、２重母線構成に適用できる。
【０１７１】
図２６（ａ）は本発明の第２１の実施の形態を示すスイッチギヤの電気回路図であり、（ｂ）は同スイッチギヤの一部を断面して示す側面図で、図２２と同一部分には同一符号を付してその説明を省略し、ここでは異なる部分について述べる。
【０１７２】
第２１の実施の形態では、図２６（ａ）に示すように母線Ｂ２に断路器ＤＳ１の一端を接続し、この断路器ＤＳ１の他端を母線Ｂ１に接続すると共に接地開閉器ＥＳ及び断路器ＤＳ２の一端に接続し、この断路器ＤＳ２の他端を遮断器ＶＣＢの一端に接続する以外は図２２（ａ）と同じである。
【０１７３】
第２１の実施の形態では、図２６（ｂ）に示すようにコの字もしくはＵ字形状の接続モールドユニット４３に代えて、コの字もしくはＵ字形状の導体の開閉器部４９の導体１７ａの軸上にあたる部分から断面が略Ｌ字形の導体を突出させ、表面に接地層を有する絶縁物で単相または３相一体にモールドし、一方の端部に母線を接続する接地層の無い円錐形状を有した接続モールドユニット兼、母線接続モールド部５０を嵌合して接続するようにしたものである。
【０１７４】
このような構成のスイッチギヤによれば、２つの開閉器モールド部２４ａ，２４ｂを接続するモールド部品に母線接続機能を付加することで、２つの開閉器モールド部２４ａ，２４ｂを有効に活用でき、スイッチギヤ列盤構成時の全幅寸法を縮小化できる。
【０１７５】
図２７は本発明の第２２の実施の形態を示すユニット母線の組立手順を説明するたるの図である。
【０１７６】
図２７において、４６は母線で、この母線４６は適宜長さの母線導体４６ａの外周面をエポキシ樹脂または耐熱性架橋ポリエチレンでモールドして母線モールド部４６ｂを形成し、このモールド部４６ｂの外周に左右一対のシリコーンゴムまたは耐熱性ＥＰゴムでできた絶縁ユニット４６ｃ，４６ｄが軸方向にスライド移動可能に嵌込まれている。この絶縁ユニット４６ｃ，４６ｄは、母線導体４６ａの両端部側に円錐形状の凹部が形成され、また絶縁ユニット４６ｃ，４６ｄの外周には絶縁ユニット固定具４６ｅ，４６ｆが備えられている。
【０１７７】
一方、２５は適宜離間して配設され、母線４６の両端に機械的及び電気的に接続される接続導体２５ａをモールドした一対の母線接続モールド部で、この母線接続モールド部２５は母線４６側の絶縁ユニット４６ｃ，４６ｄの両端部側に形成された円錐形状の凹部に嵌合する円錐形状のテーパ部が形成され、また接続導体２５ａ側にはスライド接触子２５ｃ，２５ｄが嵌込まれている。
【０１７８】
このような構成のユニット母線において、まず手順１に示すように母線接続モールド部２５間に母線４６を母線導体４６ａと接続導体２５ａとが同一軸線上になるように挿入する。
【０１７９】
次いで、手順２に示すように母線接続モールド部２５のスライド接触子２５ｃ，２５ｄを母線導体４６ａ側にスライドさせて接続導体２５ａと母線導体４６ａの突合部を電気的に接続する。
【０１８０】
そして、手順３に示すように母線４６側の絶縁ユニット４６ｃ，４６ｄを母線モールド部４６ｂの外周面に沿って母線接続モールド部２５側にスライド移動させ、母線接続モールド部２５のテーパ部を絶縁ユニット４６ｃ，４６ｄの凹部内に嵌込み、絶縁ユニット４６ｃ，４６ｄの外周に有する絶縁ユニット固定具４６ｅ，４６ｆにより固定する。
【０１８１】
このような構成のユニット母線とすれば、スライド構成の固体絶縁母線の長さを、隣接する母線接続部の間隔よりも短くすることで、列盤した状態で母線の接続及び取り外しができ、現地据付工期を短縮できる。
【０１８２】
図２８は本発明の第２３の実施の形態を示す絶縁物の絶縁グラフで、エポキシ樹脂の物性と温度の関係を示している。このグラフから分るようにエポキシ絶縁物では、ガラス転移温度（以下Ｔｇと称す）を境に電気的・機械的物性が変化することが分る。このことから、Ｔｇを基本に絶縁材料の許容温度を設定する必要がある。特に真空バルブを直接モールドすることで、温度の高い部分に直接絶縁物が接触することと、真空遮断器の衝撃力と静的圧接力も直接絶縁物に加わるため、従来のスイッチギヤに比べて絶縁物に対する要求は厳しいものとなっている。
【０１８３】
従来は、熱による物理的変形を評価する熱変形温度（以下ＨＤＴと称す）が用いられていたが、前述の如く電気特性も変化することからＴｇを用いる必要がある。ＴｇとＨＤＴの関係は、Ｔｇ≦ＨＤＴとなっており、許容温度をＴｇベースとした方が絶縁材料にとってより厳しい要求特性となっている。
【０１８４】
絶縁物の許容温度は、Ｔｇより１０℃〜３０℃低い値に設定する。これはＴｇマイナス１０℃〜３０℃になると初期は勿論のこと長期的にも物性が安定した領域になるためである。具体的には許容温度（最高使用温度）を１１５℃とすれば、Ｔｇは１２５℃〜１４５℃必要になってくる。
【０１８５】
そこで、本発明の第２３の実施の形態では、前述した各実施における真空の遮断部と真空または気体の断路部と真空または気体の接地開閉部と母線と主回路外部取合部などのスイッチギヤ構成機器をモールドする絶縁物をエポキシなどの熱硬化性樹脂とし、この絶縁物のガラス転移温度を１００℃以上１４５℃以下とするものである。何故なら、最高周囲温度４０℃＋裸銅の接続部最高許容温度５０℃＋Ｔｇに対する絶縁物の許容温度１０℃＝１００℃以上である。
【０１８６】
このようにすれば、スイッチギヤ構成機器、特に真空バルブを直接モールドする絶縁物として、絶縁構造材料に適した熱硬化性樹脂を用い、ガラス転移温度を１００℃以上とすることで、最高使用温度においても絶縁構造材としての性能を十分に発揮することができ、信頼性の高いスイッチギヤを提供できる。
【０１８７】
【発明の効果】
以上述べたように本発明によれば、主回路構成機器および各機器間を接続する導体などを据付け環境の影響を受けない構成にでき、電気的絶縁に必要な寸法を縮小化でき、部品点数の削減と組み立て時間及び試験時間の大幅な削減ができ、標準化したシールドユニットを組合せることであらゆる回路構成に対応でき、絶縁性能と遮断性能を向上でき、現地据付工期を短縮でき、安全で信頼性の高い密閉形スイッチギヤを提供できる。
【図面の簡単な説明】
【図１】（ａ）は本発明の第１の実施の形態を示すスイッチギヤの電気回路図、（ｂ）は同スイッチギヤの一部を断面して示す側面図。
【図２】本発明の第２の実施の形態を一部を断面して示す側面図
【図３】（ａ）は本発明の第３の実施の形態を示すスイッチギヤの電気回路図、（ｂ）は同スイッチギヤの一部を断面して示す側面図。
【図４】本発明の第４の実施の形態を一部を断面して示す側面図。
【図５】本発明の第５及び第６の実施の形態を一部を断面して示す側面図。
【図６】（ａ）は本発明の第７の実施の形態を示すスイッチギヤの電気回路図、（ｂ）は同スイッチギヤの一部を断面して示す側面図。
【図７】本発明の第８の実施の形態を一部を断面して示す側面図。
【図８】本発明の第９の実施の形態を一部を断面して示す側面図。
【図９】本発明の第１０の実施の形態を一部を断面して示す側面図。
【図１０】本発明の第１１の実施の形態を一部を断面して示す側面図。
【図１１】本発明の第１２の実施の形態を一部を断面して示す側面図。
【図１２】本発明の第１３の実施の形態を一部を断面して示す側面図。
【図１３】本発明の第１４の実施の形態を一部を断面して示す側面図。
【図１４】本発明の第１５の実施の形態を一部を断面して示す側面図。
【図１５】本発明の第１６の実施の形態を一部を断面して示す側面図。
【図１６】図３乃至図６に示す実施の形態において、（ａ）は開閉器モールド部の２つの真空バルブのうち一方を遮断器、他方を断路器とした場合、（ｂ）は両方を遮断器とした場合、（ｃ）は両方を断路器とした場合の構成図。
【図１７】図３乃至図６に示す実施の形態において、（ａ）は２つの真空バルブのうち一方を真空バルブに替わって導体、他方を遮断器とした場合、（ｂ）は一方を真空バルブに代えて導体、他方を断路器とした場合、（ｃ）は２つの真空バルブに代わって両方を導体とした場合の構成図。
【図１８】図３乃至図６に示す実施の形態において、母線接続部を主回路外部取合い部としたもので、（ａ）は一方の真空バルブを断路器、他方を遮断器とした場合、（ｂ）は両方の真空バルブを遮断器とした場合、（ｃ）は両方の真空バルブを断路器とした場合の構成図。
【図１９】図３乃至図６に示す実施の形態において、同じく（ａ）は２つの真空バルブのうち一方を真空バルブに替わって導体、他方を遮断器とした場合、（ｂ）は一方を真空バルブに代わって導体、他方を断路器とした場合、（ｃ）は２つの真空バルブに代わって両方を導体とした場合の構成図。
【図２０】図３乃至図６に示す実施の形態において、同じく（ａ）は一方の真空バルブを断路器、他方を遮断器とした場合、（ｂ）は両方の真空バルブを遮断器とした場合、（ｃ）は両方の真空バルブを断路器とした場合の構成図。
【図２１】図３乃至図６に示す実施の形態において、同じく（ａ）は２つの真空バルブのうち一方を真空バルブに代わって導体、他方を遮断器とした場合、（ｂ）は一方を真空バルブに代わって導体、他方を断路器とした場合、（ｃ）は２つの真空バルブに代わって両方を導体とした場合の構成図。
【図２２】（ａ）は本発明の第１７の実施の形態を示すスイッチギヤの電気回路図、（ｂ）は同スイッチギヤの一部を断面して示す側面図。
【図２３】（ａ）は本発明の第１８の実施の形態を示すスイッチギヤの電気回路図、（ｂ）は同スイッチギヤの一部を断面して示す側面図。
【図２４】本発明の第１９の実施の形態を一部を断面して示す側面図。
【図２５】（ａ）は本発明の第２０の実施の形態を示すスイッチギヤの電気回路図、（ｂ）は同スイッチギヤの一部を断面して示す側面図。
【図２６】（ａ）は本発明の第２１の実施の形態を示すスイッチギヤの電気回路図、（ｂ）は同スイッチギヤの一部を断面して示す側面図。
【図２７】本発明の第２２の実施の形態を示すユニット母線の組立手順を説明するたるの図。
【図２８】本発明の第２３の実施の形態を示す絶縁物として用いられるエポキシ樹脂の物性と温度の関係を示す特性図。
【図２９】従来の気中絶縁スイッチギヤの内部の構成例を示す側面図。
【図３０】従来の密閉形スイッチギヤの内部の構成例を示す側面図。
【符号の説明】
１…真空遮断部
２…真空または気体断路部
３…真空または気体接地開閉部
４…母線取合部
５…主回路外部取合部
６…接地層を有する絶縁物
７…操作機構
８…空胴
９…可動導体
１０…絶縁操作ロッド
１１…ケーブル
１２…変流器
１３…金属閉鎖箱
１７…真空バルブ
２４…開閉器モールド部
２５…母線接続モールド部
２６…主回路外部取合モールド部
１６ａ…すり鉢状嵌合部
３５…柔軟絶縁物
４４…断路器
４５…遮断器
４６…母線
【図１】
0004004012.tif 000002
【図２】
0004004012.tif 000003
【図３】
0004004012.tif 000004
【図４】
0004004012.tif 000005
【図５】
0004004012.tif 000006
【図６】
0004004012.tif 000007
【図７】
0004004012.tif 000008
【図８】
0004004012.tif 000009
【図９】
0004004012.tif 000010
【図１０】
0004004012.tif 000011
【図１１】
0004004012.tif 000012
【図１２】
0004004012.tif 000013
【図１３】
0004004012.tif 000014
【図１４】
0004004012.tif 000015
【図１５】
0004004012.tif 000016
【図１６】
0004004012.tif 000017
【図１７】
0004004012.tif 000018
【図１８】
0004004012.tif 000019
【図１９】
0004004012.tif 000020
【図２０】
0004004012.tif 000021
【図２１】
0004004012.tif 000022
【図２２】
0004004012.tif 000023
【図２３】
0004004012.tif 000024
【図２４】
0004004012.tif 000025
【図２５】
0004004012.tif 000026
【図２６】
0004004012.tif 000027
【図２７】
0004004012.tif 000028
【図２８】
0004004012.tif 000029
【図２９】
0004004012.tif 000030
【図３０】
0004004012.tif 000031